(57)【要約】      （修正有）【課題】ルーバーパネルの内面の清掃、フィルターの交換、換気ダクト内部の清掃・点検等のメンテナンスを簡便に行うことができ、ルーバーパネルの閉じた位置でのロック状態、ロック解除によるルーバーパネルの開放を確実に行える換気口装置を提供する。【解決手段】天井裏、壁その他に配備した換気ダクトに通じる換気開口部Ｐに取付ける換気口装置１であって、換気開口部における換気ダクトのグリル取付枠２に配置固定するパネル外枠３と、パネル外枠に対して開放揺動可能に軸支し且つ斜め向きに傾斜したルーバー壁８およびルーバー壁８相互間に形成した通気開口部９を有し、内面には必要に応じたフィルター４を着脱自在にしてなるルーバーパネル５と、パネル外枠に対しルーバーパネルをロック閉止またはロック解除するプッシュ式開閉装置６またはスライド式開閉装置とを有する。【選択図】図１
0003214456.tif 000002
【実用新案登録請求の範囲】
【請求項１】
空調機器における換気ダクトに通じる換気開口部に取付けられる換気口装置であって、該換気口装置は、換気開口部に配置固定されるパネル外枠と、該パネル外枠に対して開放揺動可能に軸支され且つ斜め向きに傾斜したルーバー壁およびルーバー壁相互間に形成された通気開口部を有して内面には必要に応じたフィルターを着脱自在にしてなるルーバーパネルと、パネル外枠に対しルーバーパネルをロック閉止またはロック解除するプッシュ式開閉装置またはスライド式開閉装置とを備えたことを特徴とする換気口装置。
【請求項２】
ルーバーパネルは、その内面にフィルターをスライドさせて装着可能にしたフィルター取付枠を有し、フィルター取付枠に装着したフィルターを係止する起立位置に揺動可能としたストッパー片を設けてなる請求項１に記載の換気口装置。
【請求項３】
プッシュ式開閉装置は、前記パネル外枠に対するルーバーパネルの閉止位置において、パネル外枠に形成された係止部に係架されるようルーバーパネルに設けられたスライドロック部と、該スライドロック部を係止部への係架位置に弾発付勢する弾性部材と、ルーバーパネルのスライドロック部による係止部へのロックを解除するよう弾性部材の弾発付勢に抗してスライドロック部を係止部への係架位置から退避させるプッシュボタンとを備えてなる請求項１に記載の換気口装置。
【請求項４】
スライドロック部は、その先端側上面に傾斜部を有し、パネル外枠に対するルーバーパネルの閉じ動作によって前記係止部によって傾斜部が押圧され、弾性部材の弾発付勢に抗してスライドロック部を退避させてからスライドロック部が係止部に係架されるものとした請求項３に記載の換気口装置。
【請求項５】
スライド式開閉装置は、前記パネル外枠に対するルーバーパネルの閉止位置において、パネル外枠の相対向する内壁に形成された係合部に各係架されるようルーバーパネルの両側に設けたレバーの外方へのスライド操作によって外方に突出可能とし、係合部への係架を解除するようレバーの内方へのスライド操作によって退避可能としてなるスライドアーム部を備えてなる請求項１に記載の換気口装置。
【考案の詳細な説明】
【技術分野】
【０００１】
この考案は、例えば店舗・事務所・マンション等における換気装置において、例えば天井裏、壁その他に配設された換気ダクトに通じるよう換気開口部に取付けられる換気口装置に関する。
【背景技術】
【０００２】
従来から、例えば店舗・事務所・マンション等における空調装置では、例えば天井裏には換気ダクトが設備され、換気ダクトに通じる換気開口部にはフィルターを装備したルーバーパネルが取付けられていることで、空気中の塵埃その他を除去・捕捉して店舗内等を換気するようにしている。
【０００３】
この空調装置の運転に伴ない、装置構成部材各部の汚染・損傷等のため、フィルターの交換のみならず、換気ダクト内部の清掃・点検等のメンテナンスも必要となる。例えば、換気ダクト内部に油やタバコ等の汚れや塵埃が積もると、換気力の低下の原因になる。そのため、定期的な換気ダクトの清掃を行うことにより、空調装置を安全に快適に使用できるようにしている。
【０００４】
ところで、空調装置の点検等のため、例えば天井面、壁面等に開口形成された換気開口部に換気口装置が設けられており、この換気口装置におけるフィルターを配してある換気用ルーバーパネルを開閉する開閉装置として、例えば特許文献１に提案されている換気用の通風装置がある。この通風装置にあっては、空調換気方式、自然換気方式の換気を行う筐体に適用できるのはもちろん、充分な防水機能が要求される使用条件下であっても問題なく適用できるうえ、装置内部に配置したフィルターの交換を筐体の外面側から簡便に行うことができるようにされている。
【０００５】
すなわち、特許文献１の換気用の通風装置は、取付開口の外面に固定される基枠と、基枠に開口した通気口を塞ぐルーバーパネルと、基枠に装着されてルーバーパネルから入り込む空気を上向きに変向案内する導風箱と、防塵用のフィルターを備えている。
【０００６】
また、ルーバーパネルの下端には逆Ｊ字状の掛止溝が形成され、この掛止溝を基枠の軸に掛止係合することにより、ルーバーパネルを揺動可能に軸支し、これにより通気口を塞ぐ閉じ位置と、開放位置との間で上開き揺動開閉できるとしている。しかも、このように下端部分が開放された掛止溝を介してルーバーパネルを軸支しているため、ルーバーパネルを基枠から取り外して、その内面を清掃できるものとしている。
【０００７】
さらに、ルーバーパネルと基枠との間には、ルーバーパネルを固定保持するためのネジ状の止め具と、開放位置においてルーバーパネルを受け止めるストッパーとを設けている。特許文献１では、フィルターはルーバーパネルを開放した状態において、ルーバーパネルの内面に設けたガイド枠に対して上方から出し入れできるとされている。
【先行技術文献】
【特許文献】
【０００８】
【特許文献１】実用新案登録第３２０２４６７号公報
【考案の概要】
【考案が解決しようとする課題】
【０００９】
しかしながら、上記した特許文献１の場合、通気口の内部やルーバーパネルの内面を清掃する際には、ルーバーパネルの掛止溝を基枠の軸からいったん取り外さなければならず、清掃・点検等のメンテナンス作業が非常に面倒である。
【００１０】
また、上記した特許文献１による換気用の通風装置を換気ダクトに通じる換気開口部に設置した場合には、ルーバーパネルを下方に揺動させて通気口を開放した瞬間にルーバーパネルの掛止溝が基枠の軸から容易に外れて当該ルーバーパネルが落下して破損する危険性がある。
【００１１】
また、ルーバーパネルには、予めフィルターを支えておく機構がないため、ルーバーパネルを下方に揺動させた瞬間にフィルターがルーバーパネルから不用意にスライド落下してしまう虞もある。
【００１２】
さらに、ルーバーパネルを開放するために緩めたネジ状の止め具が不用意に脱落して紛失する虞がある。
【００１３】
そこでこの考案は叙上のような従来存した諸事情に鑑み案出されたもので、その目的は、例えば天井裏、壁面その他に配備された換気ダクトに通じる換気開口部に取付けたルーバーパネルをわざわざ取外さなくても、ルーバーパネルの開閉を容易に行えるようにすることで、ルーバーパネルの内面の清掃、フィルターの交換、換気ダクト内部の清掃・点検等のメンテナンスを簡便に行うことができ、しかもルーバーパネルを閉じた位置でのロック閉鎖、およびロック解除によるルーバーパネルの開放を簡易な構成により確実で且つ容易に行えるものとした換気口装置を提供することにある。
【課題を解決するための手段】
【００１４】
上述した課題を解決するため、この考案にあっては、空調機器における換気ダクトに通じる換気開口部Ｐに取付けられる換気口装置１であって、該換気口装置１は、換気開口部Ｐに配置固定されるパネル外枠３と、該パネル外枠３に対して開放揺動可能に軸支され且つ斜め向きに傾斜したルーバー壁８およびルーバー壁８相互間に形成された通気開口部９を有して内面には必要に応じたフィルター４を着脱自在にしてなるルーバーパネル５と、パネル外枠３に対しルーバーパネル５をロック閉止またはロック解除するプッシュ式開閉装置６またはスライド式開閉装置３０とを備えたことを特徴とする。
ルーバーパネル５は、その内面にフィルター４をスライドさせて装着可能にしたフィルター取付枠１０を有し、フィルター取付枠１０に装着したフィルター４を係止する起立位置に揺動可能としたストッパー片７を設けてなるものとすることができる。
プッシュ式開閉装置６は、前記パネル外枠３に対するルーバーパネル５の閉止位置において、パネル外枠３に形成された係止部２９に係架されるようルーバーパネル５に設けられたスライドロック部２３と、該スライドロック部２３を係止部２９への係架位置に弾発付勢する弾性部材２２と、ルーバーパネル５のスライドロック部２３による係止部２９へのロックを解除するよう弾性部材２２の弾発付勢に抗してスライドロック部２３を係止部２９への係架位置から退避させるプッシュボタン２５とを備えてなるものとすることができる。
スライドロック部２３は、その先端側上面に傾斜部２８を有し、パネル外枠３に対するルーバーパネル５の閉じ動作によって前記係止部２９によって傾斜部２８が押圧され、弾性部材２２の弾発付勢に抗してスライドロック部２３を退避させてからスライドロック部２３が係止部２９に係架されるものとすることができる。
スライド式開閉装置３０は、前記パネル外枠３に対するルーバーパネル５の閉止位置において、パネル外枠３の相対向する内壁に形成された係合部３４に各係架されるようルーバーパネル５の両側に設けたレバー３２Ａの外方へのスライド操作によって外方に突出可能とし、係合部３４への係架を解除するようレバー３２Ａの内方へのスライド操作によって退避可能としてなるスライドアーム部３２を備えてなるものとすることができる。
【００１５】
以上のように構成されたこの考案に係る換気口装置１にあって、ストッパー片７は、起立位置に揺動されることで、必要に応じてフィルター取付枠１０に装着したフィルター４を係止させる。
プッシュ式開閉装置６は、パネル外枠３に対するルーバーパネル５の閉止位置において、プッシュボタン２５を押圧することで、弾性部材２２の弾発付勢に抗してスライドロック部２３を後退させ、スライドロック部２３による係止部２９への係架を解除させる。
また、パネル外枠３に対するルーバーパネル５の閉じ動作によって、係止部２９がスライドロック部２３の傾斜部２８を押圧し、弾性部材２２の弾発付勢に抗してスライドロック部２３を後退させ、係止部２９がスライドロック部２３の下面側に位置した際に弾性部材２２の弾発付勢によってスライドロック部２３は元位置に復帰して係止部２９に係架させる。
スライド式開閉装置３０は、パネル外枠３に対するルーバーパネル５の閉止位置において、レバー３２Ａの外方へのスライド操作によってスライドアーム部３２をルーバーパネル５の両側から外方に突出させ、スライドアーム部３２をパネル外枠３の係合部３４に係架させる。逆に、レバー３２Ａの内方への操作によってスライドアーム部３２をルーバーパネル５の両側から内方に退避させ、スライドアーム部３２のパネル外枠３の係合部３４への係架を解除させる。
【考案の効果】
【００１６】
この考案は以上説明したように構成されているため、例えば天井裏、壁内に配備された換気ダクトに通じる換気開口部Ｐに取付けたルーバーパネル５をわざわざ取外さなくても、ルーバーパネル５の開閉を容易に行えることで、ルーバーパネル５の内面の清掃、フィルター４の交換、換気ダクト内部の清掃・点検等のメンテナンスを簡便に行うことができ、しかもルーバーパネル５の閉じた位置でのロック状態、およびロック解除によるルーバーパネル５の開放を簡易な構成により確実で且つ容易に行える。
【００１７】
すなわち、これはこの考案が、換気開口部Ｐに配置固定されるパネル外枠３と、該パネル外枠３に対して開放揺動可能に軸支され且つ斜め向きに傾斜したルーバー壁８およびルーバー壁８相互間に形成された通気開口部９を有して内面に必要に応じたフィルター４を着脱自在にしてなるルーバーパネル５と、パネル外枠３に対しルーバーパネル５をロック閉止またはロック解除するプッシュ式開閉装置６またはスライド式開閉装置３０とを備えたからであり、これにより、換気開口部Ｐに取付けたルーバーパネル５をわざわざ取外さなくても、ルーバーパネル５を開放揺動させることで、ルーバーパネル５の内面の清掃、フィルター４の交換、換気ダクト内部の清掃・点検等のメンテナンスを簡便に行うことができる。
【００１８】
ルーバーパネル５は、その内面にフィルター４をスライドさせて装着可能にしたフィルター取付枠１０を有し、フィルター取付枠１０に装着したフィルター４を係止する起立位置に揺動可能としたストッパー片７を設けてなるので、ルーバーパネル５を開放揺動させた際に、フィルター４がルーバーパネル５から不用意にスライド落下して破損することがない。
【００１９】
プッシュ式開閉装置６は、前記パネル外枠３に対するルーバーパネル５の閉止位置において、パネル外枠３に形成された係止部２９に係架されるようルーバーパネル５に設けられたスライドロック部２３と、該スライドロック部２３を係止部２９への係架位置に弾発付勢する弾性部材２２と、ルーバーパネル５のスライドロック部２３による係止部２９へのロックを解除するよう弾性部材２２の弾発付勢に抗してスライドロック部２３を係止部２９への係架位置から退避させるプッシュボタン２５とを備えてなるので、ルーバーパネル５の閉じた位置でのロック状態、およびロック解除によるルーバーパネル５の開放を確実で且つ容易に行える。
【００２０】
すなわち、パネル外枠３に対するルーバーパネル５の閉止位置において、プッシュボタン２５を押圧して弾性部材２２の弾発付勢に抗してスライドロック部２３を係止部２９への係架位置から退避させることで、スライドロック部２３による係止部２９へのロックの解除が可能となり、これによってパネル外枠３からルーバーパネル５を例えば下開き状態に開放することができる。
【００２１】
スライドロック部２３は、その先端側上面に傾斜部２８を有し、パネル外枠３に対するルーバーパネル５の閉じ動作によって前記係止部２９によって傾斜部２８が押圧され、弾性部材２２の弾発付勢に抗してスライドロック部２３を退避させてからスライドロック部２３が係止部２９に係架されるものとしたので、パネル外枠３に対してルーバーパネル５を単に閉じるだけで、スライドロック部２３によって係止部２９を確実に係止させ、これによってパネル外枠３に対するルーバーパネル５の閉じ状態を維持することができる。
【００２２】
スライド式開閉装置３０は、前記パネル外枠３に対するルーバーパネル５の閉止位置において、パネル外枠３の相対向する内壁に形成された係合部３４に各係架されるようルーバーパネル５の両側に設けたレバー３２Ａの外方へのスライド操作によって外方に突出可能とし、係合部３４への係架を解除するようレバー３２Ａの内方へのスライド操作によって退避可能としてなるスライドアーム部３２を備えてなるので、スライドアーム部３２をレバー３２Ａの外方へのスライド操作によってルーバーパネル５の両側から外方に突出させることで、スライドアーム部３２をパネル外枠３の係合部３４に容易に係架させることができ、これによってパネル外枠３に対するルーバーパネル５の閉じ状態を維持することができる。
【００２３】
一方、レバー３２Ａの内方へのスライド操作によってスライドアーム部３２をルーバーパネル５の両側から内方に退避させることで、スライドアーム部３２のパネル外枠３の係合部３４への係架を容易に解除させることができ、これによってパネル外枠３からルーバーパネル５を例えば下開き状態に開放することができる。
【００２４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００２５】
【図１】この考案を実施するための第１実施形態を示す分解斜視図である。
【図２】同じく換気ダクトに通じる換気開口部に取付けた状態の斜視図である。
【図３】フィルターを係止するストッパー片の一例を示す要部側面図で、（ａ）はストッパー片を傾倒した状態、（ｂ）はストッパー片を起立した状態である。
【図４】第１実施形態におけるルーバーパネルを開放する際のプッシュ式開閉装置の動作の一例を示す側断面図で、（ａ）はスライドロック部によって係止部がロックされている状態、（ｂ）はプッシュボタンを押圧してスライドロック部による係止部のロックを解除した状態である。
【図５】第１実施形態におけるルーバーパネルを閉止する際のプッシュ式開閉装置の動作の一例を示す側断面図で、（ａ）はパネル外枠に対するルーバーパネルの閉じ動作によって係止部がスライドロック部を押し退けている状態、（ｂ）は押し退け位置から元位置に復帰したスライドロック部により係止部が係架された状態である。
【図６】この考案を実施するための第２実施形態を示す分解斜視図である。
【図７】同じく換気ダクトに通じる換気開口部に取付けた状態の斜視図である。
【図８】第２実施形態におけるルーバーパネルのスライド式開閉装置の動作の一例を示す要部平面図で、（ａ）はルーバーパネルの両側でレバーの操作によってスライドアーム部を互いに内方側に退避させて係合部への係架を解除した状態、（ｂ）はルーバーパネルの両側でレバーの操作によってスライドアーム部を外方に突出させて係合部に係架させた状態である。
【図９】第２実施形態におけるルーバーパネルのスライド式開閉装置の動作の一例を示す要部の斜視図で、（ａ）はレバーの操作によってスライドアーム部を内方側に退避させて係合部への係架を解除した状態、（ｂ）はレバーの操作によってスライドアーム部を外方に突出させて係合部に係架させた状態である。
【考案を実施するための形態】
【００２６】
＜装置全体の概略構成＞
先ず、装置全体の概略構成を詳細に説明すると、図において示される符号１は、例えば天井裏、壁内更には各種機械装置におけるパネルその他に配備された空調機器における換気ダクト（図示せず）に通じる換気開口部Ｐに取付けられる例えば空調換気方式等による換気口装置１（以下、本装置と略称する）である。
【００２７】
本装置１は、図１に示すように、換気開口部Ｐに配置固定、例えばこの換気開口部Ｐに取付けられて空調機器における換気ダクトの通気導入口となる角筒形状のグリル取付枠２に固定されるパネル外枠３と、該パネル外枠３に対して開放揺動可能に軸支されて、必要に応じて内面側に配置されるフィルター４を着脱自在に装着してなるルーバーパネル５と、パネル外枠３に対しルーバーパネル５をロック閉止またはロック解除するプッシュ式開閉装置６と、ルーバーパネル５の内面に装着したフィルター４を係止するストッパー片７とを備えている。
【００２８】
＜パネル外枠＞
パネル外枠３は、グリル取付枠２に挿入されるよう当該グリル取付枠２と同形の角筒形状となっており、パネル外枠３がグリル取付枠２に下方から挿入された際には、パネル外枠３の下端開口側に形成されたフランジ３Ａがグリル取付枠２の下端開口側のフランジ２Ａに不図示のシール部材を介して密接されるとともに、グリル取付枠２およびパネル外枠３それぞれの上端開口側に形成された内向き突起状のネジ締結用板部２Ｂ，３Ｂ相互に下方からネジ部材３Ｃを捻じ込んで両者が一体となるようにしてある。
【００２９】
なお、このパネル外枠３は、換気ダクトが天井面、壁面、パネル等から突出している場合には、グリル取付枠２を介さずに直接にその突出部分に取り付けられることもある（図示せず）。
【００３０】
＜ルーバーパネル＞
ルーバーパネル５は、そのパネル中央が角筒状に突出した胴部５Ａとなっていて、その外周縁はフランジ５Ｂとなっている。胴部５Ａの内側には、左右横長のルーバー壁８が多段状となってその両側が軸支され、それぞれは傾斜角度を変えられるようしてあり、これらルーバー壁８の上下に隣接する通気開口部９から換気用の空気を取り込む（図２参照）ようにしている。
【００３１】
なお、ルーバーパネル５は、例えば鋼板やステンレス鋼板、アルミニウム板その他の板材等を素材とするパネル状のプレス成形品からなるとしても良い。この場合、胴部５Ａの内側に左右横長のルーバー壁８が斜め向きに傾斜した状態となって多段状に打ち出し形成される。
【００３２】
ルーバーパネル５の内面における胴部５Ａの上端開口側縁部には、平面視コ字枠状のフィルター取付枠１０を固定してあり、自己保形性を有する濾過エレメント４Ａとフィルター枠４Ｂとで構成されている矩形板状のフィルター４をフィルター取付枠１０のコ字枠開放側からスライドさせて出し入れできるようにしてある。なお、フィルター４は、防塵用としての不織布と同じ繊維構造の半硬質の板状ハニカム体や、サランハニカムなどを適用することもでき、場合によってはこのフィルター４自体は装着されないこともある。
【００３３】
前記ストッパー片７は、図３に示すように、Ｌ字状の板材によって形成され、そのＬ字片面側の一端がフィルター取付枠１０のコ字枠開放側に位置するよう胴部５Ａの外壁面片側寄りに軸部７Ａを介して揺動自在に取付けられ、ストッパー片７の他方のＬ字型面側を摘み部７Ｂとなして手で摘んで傾倒位置から起立位置に揺動することで、フィルター取付枠１０へ装着したフィルター４をコ字枠開放側にて係止するものとしてある。
【００３４】
図１に示すように、上記した構成によるルーバーパネル５は、その左右一端側に突設した軸部１１がパネル外枠３の軸穴１２に揺動可能に軸支されており、ルーバーパネル５は、通気導入口に通じるパネル外枠３を塞ぐ閉じ位置とパネル外枠３を開く開放位置との間で揺動開閉できるようになっている。また、ルーバーパネル５がパネル外枠３側に閉じた際には、パネル外枠３の下端開口側に形成されたフランジ３Ａがルーバーパネル５のフランジ５Ｂに不図示のシール部材を介して密接される。
【００３５】
＜第１実施形態＞
以下、上記した本装置１全体の概略構成に基づき、この考案を実施するための第１実施形態を詳細に説明する。なお、上記した本装置１全体の概略構成と同じ構成部分には同じ符号を付してその説明を省略もしくは簡略化する。
【００３６】
＜プッシュ式開閉装置＞
図４に示すように、プッシュ式開閉装置６は、ルーバーパネル５の開放先端側の内面に、片側端部が開口されたシリンダー２１が設けられ、該シリンダー２１内に弾性部材２２を介して矩形ブロック状のスライドロック部２３が開口側に向けて弾発付勢されている。シリンダー２１の幅方向の対向側面には、縦長円形状のスライドガイド孔２４が形成され、ルーバーパネル５に上下スライド自在に貫設したプッシュボタン２５の上端コ字枠部分に横架させた操作ロッド２６の両端がスライドガイド孔２４に係合されている。
【００３７】
また、スライドロック部２３の下面側には、略山形状の凹部２７が形成され、この凹部２７に操作ロッド２６の中央部分が係合されている。さらに、スライドロック部２３の先端側上面には後述する係止部２９によって押圧される傾斜部２８が形成されている。
【００３８】
スライドロック部２３のシリンダー２１開口側からの突出位置に対応して、前記パネル外枠３の下端開口側の内面には矩形突起状の係止部２９が付設されている。パネル外枠３に対するルーバーパネル５の閉止位置において、パネル外枠３の係止部２９にルーバーパネル５のスライドロック部２３が係架されるよう弾性部材２２がスライドロック部２３を係止部２９への係架位置に向けて弾発付勢している。
【００３９】
図４（ａ）に示すように、パネル外枠３にルーバーパネル５が閉止されているときは、スライドロック部２３は係止部２９に係架されている。この状態において、スライドロック部２３を係止部２９からロック解除する場合には、図４（ｂ）に示すように、プッシュボタン２５を上方（図中、矢印Ａ方向）に向けて押し込むことで、操作ロッド２６がスライドガイド孔２４に沿って上昇し、操作ロッド２６がスライドロック部２３の凹部２７に当接していることで、スライドロック部２３をスライドさせて弾性部材２２の弾発付勢に抗して係止部２９の係架位置から側方（図中、矢印Ｂ方向）に退避させる。これによって、スライドロック部２３は係止部２９から下方に解離され、ルーバーパネル５は自重によって例えば下方向への開放方向に揺動する（図中、矢印Ｃ方向）。
【００４０】
パネル外枠３からルーバーパネル５が開放されている状態において、スライドロック部２３を係止部２９にロック固定する場合には、図５（ａ）に示すように、パネル外枠３に対するルーバーパネル５の上方への閉じ操作（図中、矢印Ｄ方向）によって、スライドロック部２３の先端側上面の傾斜部２８が係止部２９に当接すると、弾性部材２２の弾発付勢に抗してスライドロック部２３が側方（図中、矢印Ｅ方向）に退避される。そして、図５（ｂ）に示すように、スライドロック部２３が係止部２９を越えて係止部２９の上面側に位置した際には、弾性部材２２の弾発付勢によってスライドロック部２３は元位置（図中、矢印Ｆ方向）に復帰して係止部２９に係架される（図４（ａ）参照）。すなわち、係止部２９にスライドロック部２３が係架され、パネル外枠３外面とルーバーパネル５内面との間に係止部２９があたかも挟持された状態となって、パネル外枠３にルーバーパネル５がロック閉鎖されることになる。
【００４１】
＜第２実施形態＞
次に、この考案を実施するための第２実施形態を図６乃至図９に基づき詳細に説明する。なお、上記した本装置１全体の概略構成と同じ構成部分には同じ符号を付してその説明を省略もしくは簡略化する。
【００４２】
＜スライド式開閉装置＞
本実施形態では、パネル外枠３に対しルーバーパネル５をロック閉止またはロック解除するスライド式開閉装置３０を設けている。スライド式開閉装置３０は、図６、図８、図９に示すように、ルーバーパネル５の胴部５Ａの開放先端側外壁面の左右対称位置に、長さ方向両側端部が開口された横長矩形筒状のシリンダー３１が付設され、該シリンダー３１には板状のスライドアーム部３２が装着され、スライドアーム部３２の長さ方向左右端の一部分が左右開口からそれぞれスライド突出できるようにしてある。
【００４３】
胴部５Ａの内面にはシリンダー３１に貫通する窓部３３が形成され、スライドアーム部３２の片面に突設した略Ｕ字形状のレバー３２Ａが窓部３３から突出している。なお、前記ストッパー片７は、図６に示すように、Ｌ字片面側の一端がフィルター取付枠１０のコ字枠開放側に位置するよう胴部５Ａの外壁面中央に軸部７Ａを介して揺動自在に取付けられている
【００４４】
パネル外枠３の相対向する内壁には、シリンダー３１からのスライドアーム部３２の外方向への突出位置に対応して矩形板状の係合部３４が突設されている。また、レバー３２Ａは、図７に示すように、パネル外枠３がルーバーパネル５で閉止されている状態において、胴部５Ａの内面から左右対称位置で常に露出している。
【００４５】
図８（ｂ）、図９（ｂ）に示すように、両レバー３２Ａを両手でそれぞれ掴んでルーバーパネル５の両側から互いに外方（図中、矢印Ｇ方向）に向けてスライド突出させることで、スライドアーム部３２は係合部３４に各係架されるようにしてある。これにより係合部３４は、突出したスライドアーム部３２先端部分によって係止され、パネル外枠３にルーバーパネル５が閉鎖ロックされる。
【００４６】
パネル外枠３からルーバーパネル５を開放させる場合には、図８（ａ）、図９（ａ）に示すように、両レバー３２Ａを両手でそれぞれ掴んでルーバーパネル５の両側から互いに内方（図中、矢印Ｈ方向）に向けてスライド退避させることで、パネル外枠３の係合部３４へのスライドアーム部３２の係架が解除され、パネル外枠３からルーバーパネル５が開放される。
【符号の説明】
【００４７】
Ｐ…換気開口部
１…換気口装置                          ２…グリル取付枠
２Ｂ…ネジ締結用板部                    ３…パネル外枠
３Ａ…フランジ                          ３Ｂ…ネジ締結用板部
３Ｃ…ネジ部材                          ４…フィルター
４Ａ…濾過エレメント                    ４Ｂ…フィルター枠
５…ルーバーパネル                      ５Ａ…胴部
５Ｂ…フランジ                          ６…プッシュ式開閉装置
７…ストッパー片                        ７Ａ…軸部
７Ｂ…摘み部                            ８…ルーバー壁
９…通気開口部                          １０…フィルター取付枠
１１…軸部                              １２…軸穴
２１…シリンダー                        ２２…弾性部材
２３…スライドロック部                  ２４…スライドガイド孔
２５…プッシュボタン                    ２６…操作ロッド
２７…凹部                              ２８…傾斜部
２９…係止部                            ３０…スライド式開閉装置
３１…シリンダー                        ３２…スライドアーム部
３２Ａ…レバー                          ３３…窓部
３４…係合部
【図１】
0003214456.tif 000003
【図２】
0003214456.tif 000004
【図３】
0003214456.tif 000005
【図４】
0003214456.tif 000006
【図５】
0003214456.tif 000007
【図６】
0003214456.tif 000008
【図７】
0003214456.tif 000009
【図８】
0003214456.tif 000010
【図９】
0003214456.tif 000011